(57)【要約】【課題】サーバー部と画像形成部とが一体となった複合機において、画像形成部のファン駆動が停止した場合であっても、サーバー部への熱負荷に起因する不具合の発生を回避することが可能な複合機を提供する。【解決手段】画像形成部１１０とサーバー部１２０とが一つの筐体１００Ｆに設けられた複合機１００であって、画像形成部１１０とサーバー部１２０とに電力を供給する電力供給部１１７，１２６，１３１と、サーバー部１２０へ外気を送り込むファン５２０とを含み、電力供給部１１７，１２６，１３１から画像形成部１１０への電力供給が停止した場合であっても、ファン５２０は駆動し、サーバー部１２０への外気の送り込みは停止しない。【選択図】図３
2018133643.tif 000002
【特許請求の範囲】
【請求項１】
画像形成部とサーバー部とが一つの筐体に設けられた複合機であって、
前記画像形成部と前記サーバー部とに電力を供給する電力供給部と、
前記サーバー部へ外気を送り込むファンと、含み、
前記電力供給部から前記画像形成部への電力供給が停止した場合であっても、前記ファンは駆動し、前記サーバー部への外気の送り込みは停止しない、複合機。
【請求項２】
前記電力供給部は、
前記ファンに電力を供給するファン用電力供給部と、
前記画像形成部に電力を供給する画像形成部用電力供給部と、
を含む、請求項１に記載の複合機。
【請求項３】
前記画像形成部は、トナーボトルを収容したユニットを含み、
前記筐体は、前記トナーボトルの着脱を行なうために前記ユニットに対して開閉可能に設けられたメンテナンス用扉を含み、
前記メンテナンス用扉が開放された際に、前記電力供給部による前記画像形成部への電力の供給が停止される、請求項１または請求項２に記載の複合機。
【請求項４】
前記画像形成部は、トナーボトルを収容したユニットを含み、
前記筐体は、前記トナーボトルの着脱を行なうために前記ユニットに対して開閉可能に設けられたメンテナンス用扉と、
前記メンテナンス用扉の開放状態を検知する扉開閉検知部と、
を含み、
前記扉開閉検知部は、前記画像形成部用電力供給部以外から電力が供給されて駆動する、請求項１から請求項３のいずれか１項に記載の複合機。
【請求項５】
前記メンテナンス用扉は、前記筐体の一の面に設けられ、
前記筐体は、前記メンテナンス用扉が設けられる前記一の面とは異なる面に、前記サーバー機能部へ外気を取り入れるための異面側吸引部を含む、請求項３または請求項４に記載の複合機。
【請求項６】
前記筐体には、前記メンテナンス用扉が設けられる前記一の面と同じ面に、前記サーバー機能部へ外気を取り入れるための同面側吸引部を含み、
前記メンテナンス用扉が開放された時、前記同面側吸引部からの外気の吸引が停止される、請求項５に記載の複合機。
【請求項７】
前記画像形成部は、トナーボトルを収容したユニットを含み、
前記筐体は、
前記トナーボトルの着脱を行なうために前記ユニットに対して開閉可能に設けられたメンテナンス用扉と、
前記メンテナンス用扉と同じ面に、前記サーバー機能部へ外気を取り入れるための同面側吸引部と、
前記同面側吸引部の開閉を行なうシャッター機構と、を含み、
前記シャッター機構は、前記メンテナンス用扉の開放状態の際に前記同面側吸引部を閉鎖して、前記同面側吸引部からの空気の吸引を停止する、請求項１または２に記載の複合機。
【請求項８】
前記筐体は、前記メンテナンス用扉が設けられる前記一の面とは異なる面に、前記サーバー機能部へ外気を取り入れるための異面側吸引部を含み、
前記異面側吸引部の開口率が、前記同面側吸引部の開口率よりも大きい、請求項６または請求項７に記載の複合機。
【発明の詳細な説明】
【技術分野】
【０００１】
本発明は、サーバー部および画像形成部が一体化された複合機に関する。
【背景技術】
【０００２】
特開２０１４−２３３９３４号公報（特許文献１）、特開２０１０−２１７４７４号公報（特許文献２）、および、特開２０１２−２３０２４５号公報（特許文献３）には、それぞれ、画像形成装置等に関する発明が開示されている。
【０００３】
特許文献１に開示される電子機器においては、電子機器のメインスイッチのオフ後、所定時間経過した後に冷却ファンの駆動を停止する技術が採用されている。特許文献２に開示される画像形成装置および特許文献３に開示される電子機器においては、インターロック機能により、メンテナンス用の扉が開放されると、画像形成装置等への電源供給を停止する技術が採用されている。
【先行技術文献】
【特許文献】
【０００４】
【特許文献１】特開２０１４−２３３９３４号公報
【特許文献２】特開２０１０−２１７４７４号公報
【特許文献３】特開２０１２−２３０２４５号公報
【発明の概要】
【発明が解決しようとする課題】
【０００５】
たとえば、サーバー部と画像形成部とが一体となった複合機においては、画像形成部の電源供給が断たれた後でもサーバー部は常時稼働させておく必要がある。そのため、画像形成部の電源が断たれ、画像形成部の冷却（ファン駆動）が停止した場合であっても、サーバー部への熱負荷については、画像形成部の電源がオフした後であっても配慮する必要がある。
【０００６】
本発明は、上記課題に鑑みてなされたものであり、サーバー部と画像形成部とが一体となった複合機において、画像形成部のファン駆動が停止した場合であっても、サーバー部への熱負荷に起因する不具合の発生を回避することが可能な複合機を提供することを目的とする。
【課題を解決するための手段】
【０００７】
この複合機は、画像形成部とサーバー部とが一つの筐体に設けられた複合機であって、前記画像形成部と前記サーバー部とに電力を供給する電力供給部と、上記サーバー部へ外気を送り込むファンと含み、上記電力供給部から上記画像形成部への電力供給が停止した場合であっても、上記ファンは駆動し、上記サーバー部への外気の送り込みは停止しない。
【０００８】
他の形態においては、上記電力供給部は、上記ファンに電力を供給するファン用電力供給部と、上記画像形成部に電力を供給する画像形成部用電力供給部と、を含む。
【０００９】
他の形態においては、上記画像形成部は、トナーボトルを収容したユニットを含み、上記筐体は、上記トナーボトルの着脱を行なうために上記ユニットに対して開閉可能に設けられたメンテナンス用扉を含み、上記メンテナンス用扉が開放された際に、上記電力供給部による上記画像形成部への電力の供給が停止される。
【００１０】
他の形態においては、上記画像形成部は、トナーボトルを収容したユニットを含み、上記筐体は、上記トナーボトルの着脱を行なうために上記ユニットに対して開閉可能に設けられたメンテナンス用扉と、上記メンテナンス用扉の開放状態を検知する扉開閉検知部とを含み、上記扉開閉検知部は、上記画像形成部用電力供給部以外から電力が供給されて駆動する。
【００１１】
他の形態においては、上記メンテナンス用扉は、上記筐体の一の面に設けられ、上記筐体は、上記メンテナンス用扉が設けられる上記一の面とは異なる面に、上記サーバー機能部へ外気を取り入れるための異面側吸引部を含む。
【００１２】
他の形態においては、上記筐体には、上記メンテナンス用扉が設けられる上記一の面と同じ面に、上記サーバー機能部へ外気を取り入れるための同面側吸引部を含み、上記メンテナンス用扉が開放された時、上記同面側吸引部からの外気の吸引が停止される。
【００１３】
他の形態においては、上記画像形成部は、トナーボトルを収容したユニットを含み、上記筐体は、上記トナーボトルの着脱を行なうために上記ユニットに対して開閉可能に設けられたメンテナンス用扉と、上記メンテナンス用扉と同じ面に、上記サーバー機能部へ外気を取り入れるための同面側吸引部と、上記同面側吸引部の開閉を行なうシャッター機構とを含み、上記シャッター機構は、上記メンテナンス用扉の開放状態の際に上記同面側吸引部を閉鎖して、上記同面側吸引部からの空気の吸引を停止する。
【００１４】
他の形態においては、上記筐体は、上記メンテナンス用扉が設けられる上記一の面とは異なる面に、上記サーバー機能部へ外気を取り入れるための異面側吸引部を含み、上記異面側吸引部の開口率が、上記同面側吸引部の開口率よりも大きい。
【発明の効果】
【００１５】
当該構成によれば、サーバー部と画像形成部とが一体となった複合機において、画像形成部のファン駆動が停止した場合であっても、サーバー部への熱負荷に起因する不具合の発生を回避することができる。
【図面の簡単な説明】
【００１６】
【図１】実施の形態１の複合機の外観構成を示す全体斜視図である。
【図２】実施の形態１の複合機の上面視と、側面視とを示す概略図である。
【図３】実施の形態１の複合機のシステム構成を示すブロック図である。
【図４】実施の形態１の複合機のシステム構成の一部変形例を示すブロック図である。
【図５】実施の形態１の複合機のサーバー部のハードウェア構成の概略を示す平面図である。
【図６】実施の形態３の複合機の概略構成を示す第１全体斜視図である。
【図７】実施の形態３の複合機の概略構成を示す第２全体斜視図である。
【図８】実施の形態３の複合機のシステム構成を示すブロック図である。
【発明を実施するための形態】
【００１７】
各実施の形態における、複合機について、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。また、図面においては、実際の寸法の比率に従って図示しておらず、構造の理解を容易にするために、構造が明確となるように比率を変更して図示している箇所がある。
【００１８】
（実施の形態１：複合機１００）
図１および図２を参照して、本実施の形態における複合機１００の全体構成について説明する。図１は、複合機１００の外観構成を示す全体斜視図、図２は、複合機１００の上面視と、側面視とを示す概略図である。
【００１９】
この複合機１００は、画像形成部を有する画像形成部１１０とサーバー部１２０とが一つの筐体１００Ｆに設けられ一体となっている。本実施の形態における複合機１００は、画像形成部１１０の下方（底部）に、サーバー部１２０が配置されている。
【００２０】
画像形成部１１０は、電子写真方式による画像形成部を有し、トナーで形成した画像を枚葉メディアに転写させ、定着させる。図２に示すように、トナーを保持するトナーボトル２００および現像ユニット３００が、筐体１００Ｆの前面側から取り外し可能に構成されている。筐体１００Ｆの前面とは、複合機１のユーザーが複合機１を操作するために立つ位置側を意味する。
【００２１】
トナーボトル２００および現像ユニット３００の取り外し口１０ａは、通常状態では、メンテナンス用扉１０によって閉じられている。メンテナンス用扉１０は、ユーザーおよびサービスマンが開閉することが可能である。メンテナンス用扉１０には、扉開閉検知部４００が設けられている。
【００２２】
メンテナンス用扉１０には突起部が設けられており、メンテナンス用扉１０が閉まった状態で筐体１００Ｆの本体側に設けられた凹部に突起部が収納される。本体側に設置されたフォトセンサーが、メンテナンス用扉１０の開閉状態に応じた電気信号を生成する。この電気信号は、画像形成部のシステム制御部、および、画像形成部とは独立したフォトセンサー制御部に送られ、それぞれで扉の開閉を検知する。
【００２３】
（複合機１００のシステム構成）
図３および図４を参照して、複合機１００のシステム構成について説明する。図３は、複合機１００のシステム構成を示すブロック図、図４は、複合機１００のシステム構成の一部変形例を示すブロック図である。
【００２４】
この複合機１００は、画像形成部１１０とサーバー部１２０とを有する。画像形成部１１０のシステムは、システム制御部１１１、エンジン制御部１１２、電源制御部１１３、印刷部１１４、表示部１１５、および、メインスイッチ１１６を含む。
【００２５】
メインスイッチ１１６がオンされると、システム制御部１１１がそれを検知し、第１ＡＣ電源１１７に接続された電源制御部１１３から電源供給を受ける。省エネの観点から、通常夜間は電源がオフされ、日中はオンされた状態である。
【００２６】
サーバー部１２０は、マザーボード１２１（チップセット、ＣＰＵ、メモリ等搭載）、ネットワークＩＦ１２２、電源制御部１２３、電源スイッチ１２４で構成される。サーバー部１２０は、ネットワークＩＦ１２２を介してＷｉｆｉ（登録商標：Wireless  Fidelity）、アンテナ１２５と接続されており、ネットワークを通じてクライアントと常時通信する。
【００２７】
サーバー部１２０は、画像形成部１１０とは異なり夜間も含め常に電源が入った状態になる。サーバー部１２０は、画像形成部１１０とは異なる第２ＡＣ電源１２６から給電されて稼働する。メンテナンス用扉１０の開閉を検知する扉開閉検知部４００としてのフォトセンサーは、フォトセンサー制御部１２８を介してマザーボード１２１に接続されている。
【００２８】
フォトセンサー制御部１２８はファン制御部１２９と接続されており、メンテナンス用扉１０の開閉状態をファン制御部１２９に通知する。ファン制御部１２９は画像形成部１１０とは異なる第３ＡＣ電源１３１から給電され、前面ファン５１０および背面ファン５２０を駆動させる。ファン制御部１２９への給電は、図３に示すように、サーバー部１２０と異なる電源から給電されても良いし、図４に示すように、サーバー部１２０を経由して給電されても良い。
【００２９】
第１ＡＣ電源１１７、第２ＡＣ電源１２６、および、第３ＡＣ電源１３１は、複合機１００の電力供給部を構成する。特に、第１ＡＣ電源１１７は、画像形成部用電力供給部を構成し、第３ＡＣ電源１３１は、ファン用電力供給部を構成する。
【００３０】
（サーバー部１２０のハードウェア構成）
図５を参照して、サーバー部１２０のハードウェア構成について説明する。図５は、サーバー部１２０のハードウェア構成の概略を示す平面図である。サーバー部１２０のハードウェアは、サーバー部１２０、サーバーシャーシ１２０ｓ、吸気用の前面ファン５１０、および、排気用の背面ファン５２０を備える。サーバーシャーシ１２０ｓに、サーバー部１２０、前面ファン５１０、および、背面ファン５２０が取り付けられている。
【００３１】
サーバーシャーシ１２０ｓには、前面開口部１２０ａ、背面開口部１２０ｂ、および、前側面開口部１２０ｃが設けられている。前面開口部１２０ａは、メンテナンス用扉１０と同じ面に設けられていることから、メンテナンス用扉１０に対して同面側吸引部を構成する。背面開口部１２０ｂ、および、前側面開口部１２０ｃは、メンテナンス用扉１０とは異なる面に設けられていることから、メンテナンス用扉１０に対して異面側吸引部を構成する。前面とは、上述のメンテナンス用扉１０が設けられる面と同じ側である。
【００３２】
メンテナンス用扉１０が開けられると、メンテナンス用扉１０の開放状態はフォトセンサー制御部１２８で検知される。フォトセンサー制御部１２８は、ファン制御部１２９に開放状態を通知する。これを受けて、ファン制御部１２９は、前面ファン５１０の駆動を停止する。一方で、背面ファン５２０は、常時駆動する。その結果、メンテナンス用扉１０の開閉によって、下記の２通りの空気の流れが得られる。
【００３３】
第１の空気流（メンテナンス用扉１０が閉じた状態）：前面ファン５１０および背面ファン５２０の駆動により、前側から吸気され、背面に排気される（図５中の矢印Ａに示す空気の流れ）。
【００３４】
第２の空気流（メンテナンス用扉１０が開いた状態）：前面ファン５１０が停止され、背面ファン５２０のみの駆動により、前側面開口部１２０ｃから空気が吸い込まれ、背面に排気される（図５中の矢印Ｂ１、Ｂ２に示す空気の流れ）。
【００３５】
通常、複合機１００は側面、背面が壁に面して配置されることが想定されるため、第１の空気流の場合の方が、サーバー部１２０に対して安定した高い冷却効果を得ることができる。
【００３６】
本実施の形態における複合機１００のシステム構成によれば、以下に示す効果を得ることができる。通常の運転時において、画像形成部１１０への電源供給が止まった場合において、サーバー部１２０には、画像形成部１１０とは異なる電源により給電されている。その結果、サーバー冷却用の前面ファン５１０および背面ファン５２０が停止することは無く、サーバー部１２０の電子基板等への熱負荷に起因する不具合の発生を回避することができる。
【００３７】
メンテナンス用扉１０が開放状態になった際には、トナーボトル２００の交換、現像ユニット３００の調整、および、枚葉メディアの詰まり等のメンテナンスが必要な状況と判断される。この場合には、ファン制御部１２９は前面ファン５１０の駆動を停止する。これにより、メンテナンス時に下方にこぼれ落ちたトナー粒子のサーバーシャーシ１２０ｓの内部への侵入を防ぎつつ、常にサーバー部１２０に外気を取り込むことを可能にしている。
【００３８】
（実施の形態２）
本実施の形態において、基本的構成は、上記実施の形態１の複合機１００と同じである。本実施の形態では、サーバー部１２０において、サーバーシャーシ１２０ｓに設けられた前側面開口部１２０ｃの開口面積が前面開口部１２０ａの開口面積よりも大きく設けられている。
【００３９】
たとえば、前側面開口部１２０ｃと前面開口部１２０ａとの開口面積が等しい場合には、開口率Ａのフィルターを前側面開口部１２０ｃに配置し、開口率Ａよりも開口率が小さいフィルターを前面開口部１２０ａに配置する。
【００４０】
この構成により、メンテナンス用扉１０が開放状態になって前面ファン５１０が停止された場合、駆動を継続する背面ファン５２０の排気により開口率が大きい前側面開口部１２０ｃから優先的に外気がサーバー部１２０内に取り込まれるようになる。これにより、実施の形態１に比べ、メンテナンス時にこぼれ落ちたトナー粒子のサーバー部１２０内への侵入をより抑制する効果が得られる。
【００４１】
（実施の形態３：複合機１００Ａ）
図６から図８を参照して、本実施の形態における複合機１００Ａの構成について説明する。図６および図７は、複合機１００Ａの概略構成を示す第１および第２全体斜視図、図８は、複合機１００Ａのシステム構成を示すブロック図である。
【００４２】
この複合機１００Ａのシステム構成は、上記実施の形態１における複合機１００と基本的には同じである。相違点としては、メンテナンス用扉１０Ａ、および、前面開口部１２０ａに設けられた前面シャッター１２７に、シャッター機構が設けられている点にある。
【００４３】
メンテナンス用扉１０Ａは、その上端辺を回動中心軸として開閉可能に設けられている。メンテナンス用扉１０Ａの下端辺の一端には、左ギアＧ１Ｌに巻き掛けられた左ワイヤＬＷ１が連結され、下端辺の他端には、右ギアＧ１Ｒに巻き掛けられた右ワイヤＲＷ１が連結されている。ユーザーがメンテナンス用扉１０Ａを開放した場合には、左ギアＧ１Ｌおよび右ギアＧ１Ｒが回動する。
【００４４】
前面開口部１２０ａには、前面シャッター１２７が設けられている。この前面シャッター１２７も、メンテナンス用扉１０Ａと同様に、その上端辺を回動中心軸として開閉可能に設けられている。前面シャッター１２７の下端辺の一端には、左ギアＧ２Ｌに巻き掛けられた左ワイヤＬＷ２が連結され、下端辺の他端には、右ギアＧ２Ｒに巻き掛けられた右ワイヤＲＷ２が連結されている。
【００４５】
左ギアＧ１Ｌと左ギアＧ２Ｌとは相互に噛みあい、左ギアＧ１Ｌが回動すると左ギアＧ２Ｌが回動する。右ギアＧ１Ｒと右ギアＧ２Ｒとは相互に噛みあい、右ギアＧ１Ｒが回動すると右ギアＧ２Ｒが回動する。
【００４６】
より具体的には、図６に示すように、メンテナンス用扉１０Ａが閉ざされた状態では、前面シャッター１２７は前面開口部１２０ａを開放した状態である。図７に示すようにメンテナンス用扉１０Ａが閉ざされた状態では、左ギアＧ１Ｌおよび右ギアＧ１Ｒの回動により、左ギアＧ２Ｌおよび右ギアＧ２Ｒは、それぞれワイヤＬＷ２，ＲＷ２を巻き下げて、前面シャッター１２７により、前面シャッター１２７は前面開口部１２０ａを塞いだ状態となる。
【００４７】
（複合機１００Ａのシステム構成）
図８を参照して、複合機１００Ａのシステム構成について説明する。本実施の形態の複合機１００Ａにおいては、複合機１００のシステム構成と比較して、メンテナンス用扉１０Ａの開閉を検知するフォトセンサーおよびフォトセンサー制御部が設けられていない。さらに、ファンとして背面ファン５２０のみが設けられている。背面ファン５２０は、画像形成部１１０とは異なる第３ＡＣ電源１３１により電力が供給されている。
【００４８】
（サーバー部１２０のハードウェア構成）
再び、図６を参照して、サーバー部１２０のハードウェアは、サーバー部１２０、サーバーシャーシ１２０ｓ、背面ファン５２０、前面開口部１２０ａ、背面開口部１２０ｂ、前側面開口部１２０ｃ、および、前面シャッター１２７で構成される。
【００４９】
前面シャッター１２７は、上記したように、メンテナンス用扉１０Ａの開放に連動して前面開口部１２０ａを塞ぐような構成となっている。したがって、メンテナンス用扉１０Ａの開閉によって、下記の２通りの空気の流れが得られる。
【００５０】
第１の空気流（メンテナンス用扉１０Ａが閉じた状態）：背面ファン５２０の駆動により、前側から吸気され、背面に排気される（図５中の矢印Ａに示す空気の流れと同様）。
【００５１】
第２の空気流（メンテナンス用扉１０Ａが開いた状態）：前面シャッター１２７により前面開口部１２０ａが閉ざされ、背面ファン５２０の駆動により前側面開口部１２０ｃから空気が吸い込まれ、背面に排気される（図５中の矢印Ｂ１、Ｂ２に示す空気の流れと同様）。
【００５２】
このようにして、シャッター機構を採用することで、フォトセンサーおよびフォトセンサー制御部を設けない構成においても、実施の形態１の複合機１００と同様の作用効果を得ることができる。
【００５３】
従来、画像形成部への電源供給が断たれた後は、機内温度を下げるために設けられたファンの駆動は停止させていた。この技術をそのままサーバー部と画像形成部部とが一体になった複合機に適用した場合には、サーバー部への熱負荷に起因する不具合の発生が懸念された。
【００５４】
しかし、上記した各実施の形態における複合機においては、電力供給部から画像形成部への電力供給が停止した場合であっても、少なくとも一つのファンは継続して駆動し、サーバー部への外気の送り込みを停止させない構成を採用している。これにより、サーバー部の電子基板等への熱負荷に起因する不具合の発生を回避することを可能にしている。
【００５５】
今回開示された各実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５６】
１，１００，１００Ａ  複合機、１０，１０Ａ  メンテナンス用扉、１０ａ  取り外し口、１００Ｆ  筐体、１１０  画像形成部、１１１  システム制御部、１１２  エンジン制御部、１１３，１２３  電源制御部、１１４  印刷部、１１５  表示部、１１６  メインスイッチ、１１７，１２６，１３１  ＡＣ電源、１２０  サーバー部、１２０ａ  前面開口部、１２０ｂ  背面開口部、１２０ｃ  前側面開口部、１２０ｓ  サーバーシャーシ、１２１  マザーボード、１２４  電源スイッチ、１２５  アンテナ、１２７  前面シャッター、１２８  フォトセンサー制御部、１２９  ファン制御部、２００  トナーボトル、３００  現像ユニット、４００  扉開閉検知部、５１０  前面ファン、５２０  背面ファン。
【図１】
2018133643.tif 000003
【図２】
2018133643.tif 000004
【図３】
2018133643.tif 000005
【図４】
2018133643.tif 000006
【図５】
2018133643.tif 000007
【図６】
2018133643.tif 000008
【図７】
2018133643.tif 000009
【図８】
2018133643.tif 000010